(57)【要約】【課題】屋根ユニットを用いて屋根が構築された建物において、建築現場での作業負担を低減し、しかも、屋根ユニットを好適に運搬する。【解決手段】屋根１３は複数の屋根ユニット２１を有しており、屋根ユニット２１は屋根フレーム２２と屋根面材２３とを有している。屋根ユニット２１には屋内空間の天井部が固定されており、天井部は、屋根フレーム２２に取り付けられた天井下地と、天井下地に取り付けられた天井面材とを有している。屋根面材２３には屋根開口部２４が形成され、天井面材には天井開口部が形成されており、これら屋根開口部と天井開口部とは、上下に延びる屋根通路により連通されている。屋根通路は、屋根フレームに取り付けられた区画フレームと、その区画フレームに取り付けられた区画面材とを有している。天井下地は、区画フレームに取り付けられた天井支持材を有しており、この天井支持材は突出位置と退避位置とに移動可能になっている。【選択図】      図１
2015124508.tif 000002
【特許請求の範囲】
【請求項１】
屋内空間を有する建物本体と、
前記建物本体の上に設けられた屋根ユニットと、
前記屋内空間の天井部に含まれ、該天井部の天井面を形成する天井面材と、
前記屋根ユニットに対して固定され、前記天井面材を支持している天井支持材と、
前記屋根ユニットに対して前記天井支持材を連結している連結部材と、
を備え、
前記天井支持材は、前記屋根ユニットから下方に突出した突出位置にあり、該突出位置において前記天井面材を支持しており、
前記連結部材は、前記天井支持材が前記突出位置に保持されていない場合に、前記屋根ユニットに対して該天井支持材を連結した状態のままで、同天井支持材を前記突出位置より上方に退避した退避位置に移動させることが可能であることを特徴とする建物。
【請求項２】
前記屋根ユニットから下方に突出しない位置に設けられ、前記連結部材を介して前記天井支持材が取り付けられた被取付部材を備え、
前記天井支持材は、前記突出位置にある場合に前記被取付部材の下方に配置されており、前記退避位置に移動した場合に前記被取付部材の側方に配置されていることを特徴とする請求項１に記載の建物。
【請求項３】
前記連結部材は、
前記屋根ユニット側の前記被取付部材に固定された屋根固定部と、
前記天井支持材に固定された天井固定部と、
前記屋根固定部に対して前記天井固定部を回動可能に接続している接続部と、
を有しており、
前記天井支持材は、前記連結部材において前記屋根固定部に対して前記天井固定部が回動することで前記突出位置と前記退避位置との間を移動可能になっていることを特徴とする請求項２に記載の建物。
【請求項４】
前記連結部材は、前記屋根固定部と前記天井固定部とが前記接続部を挟んで互いに反対向きに延びた開き状態と、前記屋根固定部と前記天井固定部とが前記接続部から同じ向きに延びていることで重ねられた重ね状態とに移行可能であり、前記天井支持材が前記突出位置及び前記退避位置のうち一方の位置にある場合に、前記開き状態になっていることで前記天井支持材と前記被取付部材とを当接させており、前記天井支持材が他方の位置にある場合に、前記重ね状態になっていることで前記天井支持材と前記被取付部材との間に挟まった状態になっていることを特徴とする請求項３に記載の建物。
【請求項５】
前記連結部材は、前記屋根固定部が前記被取付部材の下面に固定され、前記天井固定部が前記天井支持材の上面に固定されていることで、前記天井支持材が前記突出位置にある場合に前記重ね状態になっており、前記天井支持材が前記退避位置に移動することで前記開き状態に移行するものであることを特徴とする請求項４に記載の建物。
【請求項６】
前記天井面材に形成された天井開口部を介して前記屋内空間から上方に向けて延びた延出空間を備え、
前記延出空間を区画する区画面材が、前記被取付部材と前記天井支持材との間の境界部を上下に跨いだ状態で、それら被取付部材及び天井支持材のそれぞれに取り付けられていることを特徴とする請求項３乃至５のいずれか１項に記載の建物。
【請求項７】
前記屋根ユニットは、複数の長尺部材が組み合わされて形成された屋根フレームと、前記屋根フレームの上に設けられた屋根面材とを有しており、
前記屋根面材に形成された屋根開口部と前記天井開口部とを連通する屋根通路が設けられており、該屋根通路の内部空間が前記延出空間を形成していることを特徴とする請求項６に記載の建物。
【請求項８】
前記屋根ユニットは、
上弦材及び下弦材を含んで構成された屋根フレームと、
前記屋根フレームを上方から覆う屋根面材と、
を有しており、
前記天井支持材は、前記退避位置にある場合に、前記屋根フレームから側方に突出しない状態で前記下弦材の側方に配置されていることを特徴とする請求項３乃至７のいずれか１項に記載の建物。
【請求項９】
前記下弦材は、前記天井面材の上面に沿って複数並べられており、
前記被取付部材は、隣り合う前記下弦材に掛け渡された状態でそれら下弦材に固定されており、
前記天井支持材は、前記退避位置にある場合に、前記隣り合う下弦材の間に配置されていることを特徴とする請求項８に記載の建物。
【発明の詳細な説明】
【技術分野】
【０００１】
本発明は、建物の屋根構造に関するものである。
【背景技術】
【０００２】
コンビニエンスストアなどの中規模店舗を構成する建物においては、建物構造の工業化が図られており、建物本体の上に設置された複数の屋根ユニットにより屋根が構築されていることがある。例えば、建物の幅方向に沿って複数並べられた略長方形状の屋根ユニットを有し、それら屋根ユニットにより屋根が構築されている建物がある（例えば特許文献１）。
【０００３】
建物本体の上に屋根ユニットが設置された建物においては、屋内空間の天井部が屋根ユニットに対して固定されていることがある。この場合、天井部は、屋根ユニットに取り付けられた天井下地と、その天井下地に取り付けられた天井面材とを有している。
【先行技術文献】
【特許文献】
【０００４】
【特許文献１】特開２００５−２８２０３８号公報
【発明の概要】
【発明が解決しようとする課題】
【０００５】
屋根ユニットに天井下地が取り付けられた構成では、屋根ユニットに対する天井下地の取り付け作業を、屋根ユニットを製造する工場及び建築現場のいずれかにおいて実施することになる。ここで、建物構造の工業化を図る観点では、建築現場での作業負担を軽減することを目的として、屋根ユニットに対する天井下地の取り付け作業を工場で行い、天井下地が取り付けられた状態の屋根ユニットをトラック等で建築現場に運搬することが好ましいと考えられる。
【０００６】
しかしながら、天井面材が屋根ユニットから下方に離間した位置に配置された建物においては、天井下地が屋根ユニットから下方に突出した状態になっている。このため、天井下地付きの屋根ユニットを建築現場に運搬する場合に、その天井下地が運搬の支障になることや、運搬に際して天井下地がトラックの荷台や他の屋根ユニットに接触して変形したり破損したりすることが懸念される。
【０００７】
本発明は、上記事情に鑑みてなされたものであり、屋根ユニットを用いて屋根が構築された建物において、建築現場での作業負担を低減し、しかも、屋根ユニットを好適に運搬することを主たる目的とするものである。
【課題を解決するための手段】
【０００８】
以下、上記課題を解決するのに有効な手段等につき、必要に応じて作用、効果等を示しつつ説明する。なお、以下においては、理解の容易のため、発明の実施の形態において対応する構成を括弧書き等で適宜示すが、この括弧書き等で示した具体的構成に限定されるものではない。
【０００９】
第１の発明の建物は、屋内空間（屋内空間１５）を有する建物本体（建物本体１２）と、前記建物本体の上に設けられた屋根ユニット（屋根ユニット２１）と、前記屋内空間の天井部（天井部４１）に含まれ、該天井部の天井面を形成する天井面材（天井面材４３）と、前記屋根ユニットに対して固定され、前記天井面材を支持している天井支持材（天井支持材６１）と、前記屋根ユニットに対して前記天井支持材を連結している連結部材（連結部材７１）と、を備え、前記天井支持材は、前記屋根ユニットから下方に突出した突出位置（突出位置Ｎ）にあり、該突出位置において前記天井面材を支持しており、前記連結部材は、前記天井支持材が前記突出位置に保持されていない場合に、前記屋根ユニットに対して該天井支持材を連結した状態のままで、同天井支持材を前記突出位置より上方に退避した退避位置（退避位置Ｍ）に移動させることが可能であることを特徴とする。
【００１０】
第１の発明によれば、天井支持材が突出位置にて天井面材を支持している構成において、天井支持材付きの屋根ユニットを工場から建築現場に運搬する場合などには、天井支持材の位置保持を解除することで、天井支持材を退避位置に移動させることができる。このため、天井支持材が屋根ユニットの運搬の支障になることを抑制できる。また、天井支持材が退避位置にある場合には、天井支持材がトラックの荷台や他の屋根ユニットに接触しにくくなるため、屋根ユニットの運搬に際して天井支持材が変形したり破損したりすることを抑制できる。したがって、屋根ユニットを用いて屋根が構築された建物において、建築現場での作業負担を低減することができ、しかも、屋根ユニットを好適に運搬することができる。
【００１１】
第２の発明では、第１の発明において、前記屋根ユニットから下方に突出しない位置に設けられ、前記連結部材を介して前記天井支持材が取り付けられた被取付部材（区画フレーム５３の下側横材５６）を備え、前記天井支持材は、前記突出位置にある場合に前記被取付部材の下方に配置されており、前記退避位置に移動した場合に前記被取付部材の側方に配置されている。
【００１２】
第２の発明によれば、天井支持材は、退避位置にある場合に被取付部材の側方位置にあるため、屋根ユニットを運搬する際に天井支持材が屋根ユニットから下方に突出した状態にならないようにすることができる。このため、例えば屋根ユニットをトラックの荷台等に載せた場合に、天井支持材が荷台の積載面に当たって屋根ユニットの安定性が低下することや、天井支持材が変形したり破損したりすることを回避できる。したがって、天井支持材付きの屋根ユニットを運搬する際の作業負担を、天井支持材無しの屋根ユニットを運搬する際の作業負担と同じ程度に抑えることができる。
【００１３】
第３の発明では、第２の発明において、前記連結部材は、前記屋根ユニット側の前記被取付部材に固定された屋根固定部（区画固定部７２）と、前記天井支持材に固定された天井固定部（天井固定部７３）と、前記屋根固定部に対して前記天井固定部を回動可能に接続している接続部（接続部７４）と、を有しており、前記天井支持材は、前記連結部材において前記屋根固定部に対して前記天井固定部が回動することで前記突出位置と前記退避位置との間を移動可能になっている。
【００１４】
第３の発明によれば、連結部材により天井支持材が回動可能に軸支されているため、天井支持材を回動させるという容易な作業を行うことで、屋根ユニットの運搬に際して支障にならない退避位置に天井支持材を移動させることができる。しかも、天井支持材が回動することで退避位置に移動するため、例えば天井支持材が上下方向に移動することで突出位置と退避位置とに移動する構成に比べて、天井支持材が意図せずに突出位置に移動するという事態が生じにくい構成を実現できる。
【００１５】
第４の発明では、第３の発明において、前記連結部材は、前記屋根固定部と前記天井固定部とが前記接続部を挟んで互いに反対向きに延びた開き状態と、前記屋根固定部と前記天井固定部とが前記接続部から同じ向きに延びていることで重ねられた重ね状態とに移行可能であり、前記天井支持材が前記突出位置及び前記退避位置のうち一方の位置にある場合に、前記開き状態になっていることで前記天井支持材と前記被取付部材とを当接させており、前記天井支持材が他方の位置にある場合に、前記重ね状態になっていることで前記天井支持材と前記被取付部材との間に挟まった状態になっている。
【００１６】
第４の発明によれば、天井支持材は、突出位置及び退避位置のうち一方の位置にある場合に被取付部材に当接しているため、天井支持材を被取付部材に対して移動しにくい状態で位置保持することができる。また、突出位置及び退避位置のうち、被取付部材に当接していない方の位置にある場合には、連結部材が重ね状態で天井支持材と被取付部材との間に挟まっているため、天井支持材を連結部材（被取付部材）に対して移動しにくい状態で位置保持することができる。したがって、屋根ユニットの運搬に際して天井支持材が退避位置にある場合、及び建築現場での建物の構築に際して天井支持材が突出位置にある場合の両方について、天井支持材を安定した状態で位置保持することができる。
【００１７】
第５の発明では、第４の発明において、前記連結部材は、前記屋根固定部が前記被取付部材の下面に固定され、前記天井固定部が前記天井支持材の上面に固定されていることで、前記天井支持材が前記突出位置にある場合に前記重ね状態になっており、前記天井支持材が前記退避位置に移動することで前記開き状態に移行するものである。
【００１８】
第５の発明によれば、天井支持材が突出位置にある場合に天井支持材と被取付部材との間に連結部材が挟まっているため、被取付部材に対して天井支持材が安定して位置保持された状態で、その天井支持材に天井面材を取り付けることができる。
【００１９】
第６の発明では、第３乃至第５のいずれかの発明において、前記天井面材に形成された天井開口部（天井開口部４５）を介して前記屋内空間から上方に向けて延びた延出空間（屋根通路５１の内部空間）を備え、前記延出空間を区画する区画面材（区画面材５２）が、前記被取付部材と前記天井支持材との間の境界部を上下に跨いだ状態で、それら被取付部材及び天井支持材のそれぞれに取り付けられている。
【００２０】
第６の発明によれば、天井支持材が突出位置にある場合、連結部材が重ね状態で天井支持材と被取付部材との間に挟まっているため、その連結部材を天井支持材や被取付部材の延出空間側に配置する必要がない。この場合、天井支持材及び被取付部材の各側面が区画面材の取り付け対象とされた構成において、連結部材が区画面材の取り付けの支障になることを回避できる。したがって、区画面材を天井支持材及び被取付部材に取り付ける際に、天井支持材が退避位置と突出位置とに移動可能であることに起因して作業負担が増加するということがない。
【００２１】
ここで、連結部材が天井支持材を回動可能に軸支している構成では、屋根ユニットに対する天井支持材の連結が連結部材の回動支点（接続部）だけになるため、その連結強度は比較的小さいと考えられる。これに対して、屋根ユニット（被取付部材）及び天井支持材が区画面材により一体化されているため、連結部材を介した被取付部材と天井支持材との連結部分について区画面材による補強を実現できる。
【００２２】
第７の発明では、第６の発明において、前記屋根ユニットは、複数の長尺部材が組み合わされて形成された屋根フレーム（屋根フレーム２２）と、前記屋根フレームの上に設けられた屋根面材（屋根面材２３）とを有しており、前記屋根面材に形成された屋根開口部（屋根開口部２４）と前記天井開口部とを連通する屋根通路（屋根通路５１）が設けられており、該屋根通路の内部空間が前記延出空間を形成している。
【００２３】
第７の発明によれば、天井支持材や被取付部材、連結部材が区画面材により延出空間側から覆い隠されているため、屋根開口部や屋根通路内の意匠性を高めることができる。特に、屋根開口部が太陽光を取り込むトップライトとして使用された場合には、屋根通路内が太陽光により照らされることになるため、屋根開口部や屋根通路内の意匠性を高める上では、天井支持材や被取付部材、連結部材が延出空間側に露出していないことが好ましい。
【００２４】
第８の発明では、第３乃至第７のいずれかの発明において、前記屋根ユニットは、上弦材（上弦材３１）及び下弦材（下弦材３２）を含んで構成された屋根フレーム（屋根フレーム２２）と、前記屋根フレームを上方から覆う屋根面材（屋根面材２３）と、を有しており、前記天井支持材は、前記退避位置にある場合に、前記屋根フレームから側方に突出しない状態で前記下弦材の側方に配置されている。
【００２５】
第８の発明によれば、退避位置にある天井支持材は、屋根ユニットから下方に突出せず、且つ屋根フレームから側方に突出しない状態になっているため、屋根ユニットを運搬する際に天井支持材が支障になることをより確実に回避できる。
【００２６】
第９の発明では、第８の発明において、前記下弦材は、前記天井面材の上面に沿って複数並べられており、前記被取付部材は、隣り合う前記下弦材に掛け渡された状態でそれら下弦材に固定されており、前記天井支持材は、前記退避位置にある場合に、前記隣り合う下弦材の間に配置されている。
【００２７】
第９の発明によれば、被取付部材が下弦材に掛け渡されているため、被取付部材が屋根フレームの構造体を構成する必要がない。したがって、被取付部材及び天井支持材の設置位置に関する自由度を高めることができる。
【図面の簡単な説明】
【００２８】
【図１】建物の構成を示す図
【図２】建物の構成を示す分解斜視図
【図３】屋根フレームの斜視図
【図４】図１（ｂ）のＡ−Ａ線断面図
【図５】図１（ｂ）のＢ−Ｂ線断面図
【図６】区画フレームの斜視図
【図７】連結部材の構成を示す図
【図８】天井部の施工手順を示す図
【図９】屋根ユニットがトラックに積載された状態を示す図
【発明を実施するための形態】
【００２９】
以下、本発明を具体化した一実施形態について図面を参照しつつ説明する。本実施形態では、本発明の屋根構造を、鉄骨軸組工法により構築された建物において具体化しており、この建物は、店舗や事務所などとして使用することが可能になっている。図１は建物１０の構成を示す図、図２は建物１０の構成を示す分解斜視図、図３は屋根フレーム２２の斜視図である。なお、図１においては、（ａ）に建物１０の斜視図を示し、（ｂ）に建物１０の平面図を示す。
【００３０】
図１（ａ）、図２に示すように、建物１０は、基礎１１の上に設けられた建物本体１２と、建物本体１２の上に設けられた屋根１３とを有している。建物本体１２は、略直方体形状とされており、その外壁１４により囲まれた屋内空間１５（図４参照）を有している。外壁１４には、窓部や出入口等の開口部が設けられており、その開口部には、ドアや窓サッシといった建具が設けられている。なお、建物１０においては、間口寸法（幅方向）が１０ｍ、奥行き寸法が９ｍ、高さ寸法が３ｍとされている。また、建物１０の外周面のうち幅方向に延びる一側面が建物正面（ファサード）とされており、その正面側には、屋根１３に正面側に向けて突出した庇部が設けられている。
【００３１】
建物本体１２は、基礎１１に立設されている複数の柱１６と、それら柱１６の上端部同士を連結している大梁１７とを有している。柱１６には、ラチス柱と間柱とが含まれており、ラチス柱は、複数の柱部とそれら柱部を連結するラチス（補強材）とを含んで構成され、間柱は、角形鋼により形成されている。柱１６は、外壁１４と一体になっている壁付き柱とされており、外壁１４に沿って並べられている。大梁１７は、Ｈ形鋼により形成されており、各柱１６の上に設置されている。また、大梁１７は、外壁１４に沿って延びている。
【００３２】
なお、外壁１４において建物正面を形成する部分には、窓ガラスが横並びに複数設けられている窓ガラス領域があり、窓ガラス領域においては窓ガラスが嵌め殺し式とされている。窓ガラス領域においては、隣り合う窓ガラスの間に間柱が配置されている。
【００３３】
屋根１３は、陸屋根（フラットルーフ）とされており、建物１０の奥行き方向を傾斜方向とした水勾配を有している。屋根１３は、建物１０の正面側に配置された第１屋根面１３ａと、第２屋根面１３ｂより奥側に配置された第２屋根面１３ｂとを有している。第１屋根面１３ａは、建物１０の正面側端部が下端になる向きで傾斜し、第２屋根面１３ｂは、建物１０の奥側端部が下端になる向きで傾斜している。これら屋根面１３ａ，１３ｂは、建物１０の奥行き方向に沿って並べられており、上端部同士で連結されている。この場合、屋根１３は、奥行き方向の中間部分が上方に向けて突出した形状になっている。なお、図１（ａ）、図２においては、屋根面１３ａ，１３ｂが水勾配を有していることを明確に図示するために、水勾配の角度を実際よりも大きくしてある。
【００３４】
屋根１３は、建物本体１２の上に設置された複数の屋根ユニット２１を有している。屋根ユニット２１は、略直方体形状に形成されており、その長手方向を建物１０の奥行き方向にした向きで、建物１０の幅方向に沿って横並びに複数設けられている。屋根ユニット２１は、外壁１４における建物正面側の部分と建物奥側の部分とに掛け渡された状態になっており、これら建物正面側の部分や建物奥側の部分に配置された大梁１７や柱１６により支持されている。ここで、屋根ユニット２１に対する大梁１７や柱１６の支持強度は、屋根ユニット２１を支持するための柱や耐力壁を建物奥行き方向の中間位置に設置する必要がないほど大きくされている。この場合、建物本体１２の屋内空間は、奥行き方向の中間位置に柱や耐力壁などが設けられていないことで、建物奥行き方向に遮られていない大空間とすることが可能になっている。
【００３５】
屋根ユニット２１は、トラス構造を有する屋根フレーム２２と、その屋根フレーム２２を上方から覆う屋根面材２３とを有している。屋根面材２３は、金属材料により形成された板材とされている。ここで、屋根１３においては、第１屋根面１３ａが折板材により形成されており、第２屋根面１３ｂが平板により形成されている。第１屋根面１３ａにおいては、折板材の折り目が水勾配に沿って延びる向きで設置されている。
【００３６】
図１（ａ），（ｂ）に示すように、屋根１３には、屋根面材２３を貫通する屋根開口部２４が設けられている。屋根開口部２４には、太陽光の透過が可能な屋根サッシ２５が取り付けられている。この場合、屋根開口部２４は、屋内空間１５に太陽光を取り込むことが可能な天窓やトップライト（採光窓）を形成していることになる。屋根サッシ２５は、屋根開口部２４に嵌め込まれたサッシ枠と、ガラス板等により形成されたサッシ戸とを有しており、サッシ枠がサッシ戸を支持している。
【００３７】
屋根開口部２４は、建物１０の幅方向に沿って延びている横長部分２４ａと、建物１０の奥行き方向に沿って延びている奥行き部分２４ｂとを有している。横長部分２４ａ及び奥行き部分２４ｂは、屋根１３において第１屋根面１３ａを有する部分に配置されている。横長部分２４ａは、第１屋根面１３ａと第２屋根面１３ｂとの境界部に沿って延びており、奥行き部分２４ｂは、横長部分２４ａの両端のそれぞれから横長部分２４ａから建物正面側に向けて延びている。この場合、屋根開口部２４は、全体としてコ字状に形成されている。
【００３８】
なお、屋根面材２３の下側には屋根断熱部２６が設けられている（図４、図５参照）。屋根断熱部２６は、ポリウレタンフォーム等の発泡系断熱材により板状に形成されており、屋根面材２３の下面に沿って延びている。屋根断熱部２６は、屋根フレーム２２と屋根面材２３との間に配置されており、屋根フレーム２２に対して固定されている。
【００３９】
図３に示すように、屋根フレーム２２は、長尺状の鋼材が複数組み合わされることで形成された立体トラスであり、建物奥行き方向を長手方向とした略直方体形状になっている。屋根フレーム２２は、その屋根フレーム２２の長手方向に沿って延びている長手トラス２７と、短手方向に沿って延びている短手トラス２８とを有している。長手トラス２７及び短手トラス２８は、互いに直交する平面トラスであり、これら長手トラス２７及び短手トラス２８を組み合わせることで屋根フレーム２２が立体トラスになっている。
【００４０】
屋根フレーム２２において、長手トラス２７は屋根フレーム２２の短手方向に沿って一対並べて設けられている。短手トラス２８は、屋根フレーム２２の長手方向に沿って複数並べて設けられており、各短手トラス２８は、一対の長手トラス２７を連結している。短手トラス２８は、一対の長手トラス２７の間に設けられており、それら長手トラス２７に掛け渡された状態になっている。
【００４１】
長手トラス２７及び短手トラス２８は、上下に対向配置された上弦材３１及び下弦材３２と、これら上弦材３１と下弦材３２とを連結する斜材３３とをそれぞれ有している。長手トラス２７及び短手トラス２８は、いずれも平行トラスとされている。長手トラス２７及び短手トラス２８のそれぞれにおいて、斜材３３は弦材３１，３２の延びている方向に沿って複数並べられており、各斜材３３は弦材３１，３２の間に設けられている。各斜材３３は、鉛直方向に対してそれら斜材３３が並ぶ方向に傾斜している。
【００４２】
なお、上弦材３１、下弦材３２及び斜材３３は、それぞれ鋼材としての溝形鋼により形成されており、それぞれの溝部の開放側を水平方向に向けて配置されている。長手トラス２７においては、上弦材３１、下弦材３２及び斜材３３の各溝部が屋根フレーム２２の短手方向を向いており、短手トラス２８においては、各溝部が屋根フレーム２２の長手方向を向いている。
【００４３】
長手トラス２７においては、下弦材３２が水平方向に延びている一方で、上弦材３１は第１屋根面１３ａに沿って傾斜している。上弦材３１の傾斜角度は、第１屋根面１３ａの傾斜角度（水勾配）と同じ大きさになっている。長手トラス２７の上弦材３１においては、建物奥側の端部が上端になり、建物奥側の端部が下端になっている。この場合、屋根フレーム２２においては、その長手方向が上弦材３１の傾斜している傾斜方向になり、長手トラス２７が傾斜トラスに相当する。なお、図３における上弦材３１の手前側端部が上端部になっており、建物奥側に配置されることになる。
【００４４】
これに対して、短手トラス２８においては、上弦材３１及び下弦材３２がいずれも水平方向に延びている。短手トラス２８の上弦材３１は、一対の長手トラス２７の上弦材３１の間に設けられており、その端面が長手トラス２７の上弦材３１の側面に溶接等により固定されている。同様に、短手トラス２８の下弦材３２は、一対の長手トラス２７の下弦材３２の間に設けられており、その端面が長手トラス２７の下弦材３２の側面に溶接等により固定されている。なお、短手トラス２８は、長手トラス２７に直交する直交トラスに相当する。
【００４５】
長手トラス２７は、鉛直方向に延びている束材３４を有している。束材３４は、斜材３３と同様に、上弦材３１と下弦材３２とを連結するものであり、それら弦材３１，３２に沿って斜材３３と横並びに複数設けられている。また、束材３４は、屋根フレーム２２の短手方向において短手トラス２８に横並びに配置されている。長手トラス２７において、束材３４は屋根フレーム２２の長手方向の端部及び中間位置の両方に配置されている。屋根フレーム２２においては、一対の長手トラス２７の各束材３４の間に短手トラス２８が配置されており、短手トラス２８が長手トラス２７の束材３４により補強されている。なお、束材３４は、角形鋼により形成されている。
【００４６】
建物１０は、屋内空間１５の天井部４１を有している。ここでは、天井部４１の構成について図４〜図７を参照しつつ説明する。図４は図１（ｂ）のＡ−Ａ線断面図、図５は図１（ｂ）のＢ−Ｂ線断面図、図６は区画フレーム５３の斜視図、図７は連結部材７１の構成を示す図である。なお、図５においては、屋根通路５１内の上弦材３１や下弦材３２、斜材３３の図示を省略している。また、図６においては、一対の長手トラス２７に掛け渡された区画フレーム５３を示し、長手トラス２７を仮想線で図示している。図７においては、（ａ）に連結部材７１の開き状態を示し、（ｂ）に連結部材７１の重ね状態を示す。
【００４７】
図４、図５に示すように、天井部４１は、屋根ユニット２１に固定された天井下地４２と、その天井下地４２に取り付けられた天井面材４３とを有している。天井面材４３は、石膏ボード等により形成されており、天井下地４２の下側に配置されている。天井面材４３は、屋根フレーム２２から下方に離間した位置に配置されている。天井面材４３の上方には天井裏空間４４が設けられており、天井裏空間４４と屋内空間１５とは天井面材４３により上下に仕切られている。また、天井面材４３は、屋根ユニット２１の下弦材３２の並び方向に沿って延びていることになる。換言すれば、複数の下弦材３２は、天井面材４３の上面（裏面）に沿って並べられていることになる。
【００４８】
天井部４１には、天井面材４３を貫通した天井開口部４５が設けられている。天井開口部４５は、屋根開口部２４の下方において、その屋根開口部２４に上下に重なる位置に配置されている。この場合、天井開口部４５は、屋根開口部２４の横長部分２４ａに上下に重なっている横長部分と、奥行き部分２４ｂに上下に重なっている奥行き部分とを有しており、全体としてコ字状に形成されている。
【００４９】
天井開口部４５には、屋根開口部２４に差し込んだ太陽光を拡散させるシェード４６と、シェード４６を支持するシェード枠４７とが設けられている。シェード枠４７は、矩形枠状に形成され、天井開口部４５において横長部分や奥行き部分の長手方向に沿って横並びに複数設けられており、隣り合うシェード枠４７は互いに連結されている。シェード４６は、ガラスや合成樹脂材料などにより矩形板状に形成されており、シェード枠４７に嵌め込まれている。シェード４６は、光透過性を有している一方で、ある程度の遮光性を有しており、屋根開口部２４から屋内空間１５に差し込む太陽光の眩しさを和らげることが可能になっている。
【００５０】
シェード枠４７は、天井面材４３に横並びに配置されている。シェード枠４７においては、その下面が天井面材４３の下面（天井面）と同じ高さに配置されており、それら下面同士は面一になっている。
【００５１】
屋根開口部２４と天井開口部４５とは屋根通路５１により上下に連通されている。屋根通路５１は、屋根１３を上下に貫通した状態になっており、天井裏空間４４に横並びに配置されている。屋根通路５１は、天井開口部４５と同様に、屋根開口部２４の横長部分２４ａに沿って延びている横長部分と、奥行き部分２４ｂに沿って延びている奥行き部分とを有しており、平面視で全体としてコ字状に形成されている。屋根通路５１の内部空間は、天井開口部４５を通じて屋内空間１５から上方に向けて延びた延出空間に相当する。
【００５２】
なお、屋根通路５１は、太陽光が通る採光通路とされているが、通気を行う通気通路とされていてもよい。例えば、屋根開口部２４のサッシ戸が開閉可能とされ、天井開口部４５のシェード４６が開閉可能とされた構成とする。この構成では、サッシ戸及びシェード４６が開放されることで、屋内空間１５の換気を行うことが可能になっている。
【００５３】
屋根通路５１は、その内部空間を天井裏空間４４に対して区画する区画面材５２と、区画面材５２が取り付けられた区画下地としての区画フレーム５３とを有している。区画面材５２は、石膏ボード等により形成されており、内壁面を形成する内壁面材として使用することが可能な内装材になっている。なお、屋根フレーム２２においては、上弦材３１や下弦材３２、斜材３３が屋根通路５１の位置に関係なく配置されており、これら弦材３１，３２や斜材３３の一部は屋根通路５１内に露出した状態になっている。
【００５４】
図６に示すように、区画フレーム５３は、全体として矩形枠状に形成されている。区画フレーム５３は、上下一対の横材５５，５６と、それら横材５５，５６を連結する縦材５７とを有している。横材５５，５６は、区画フレーム５３の幅方向に沿って延びており、それぞれをランナと称することもできる。横材５５，５６は、断面コ字状の軽量溝形鋼により形成されており、上側に配置された方の上側横材５５は、その溝部を下方に向けており、下側に配置された方の下側横材５６は、その溝部を上方に向けている。この場合、上側横材５５と下側横材５６とは、それぞれの溝部を向かい合わせた状態で配置されている。
【００５５】
縦材５７は、断面矩形状の軽量角形鋼により形成されており、中空部を有する筒状部材になっている。縦材５７は、区画フレーム５３の高さ方向に沿って延びており、上側横材５５と下側横材５６とに掛け渡された状態で、区画フレーム５３の幅方向に沿って所定間隔で横並びに配置されている。縦材５７の上端部は、上側横材５５の溝部内に入り込んだ状態でその上側横材５５に固定されており、下端部は、下側横材５６の溝部内に入り込んだ状態でその下側横材５６に固定されている。
【００５６】
縦材５７は、区画フレーム５３の幅方向に沿って所定間隔で複数並べられている。これら縦材５７には、横材５５，５６の端部同士を連結するものと、横材５５，５６の中間部分同士を連結するものとが含まれており、それによって、区画フレーム５３が全体として矩形枠状になっている。
【００５７】
区画フレーム５３は、屋根開口部２４の長手方向に沿って延びる向きで、その屋根開口部２４の長手方向に沿って横並びに複数配置されている。複数の区画フレーム５３には、屋根開口部２４の横長部分２４ａに沿って延びているものと、奥行き部分２４ｂに沿って延びているものが含まれている。
【００５８】
屋根開口部２４の横長部分２４ａに沿って延びている区画フレーム５３は、屋根フレーム２２の短手方向に沿って延びており、一対の長手トラス２７の間に配置され、それら長手トラス２７に掛け渡された状態になっている。この場合、区画フレーム５３の上側横材５５は、各長手トラス２７の上弦材３１に固定されており、下側横材５６は、各長手トラス２７の下弦材３２に固定されている。また、隣り合う区画フレーム５３の間には、隣り合う屋根ユニット２１の各長手トラス２７が入り込んだ状態になっている。
【００５９】
同様に、区画フレーム５３において、屋根開口部２４の奥行き部分２４ｂに沿って延びている部分は、屋根フレーム２２の長手方向に沿って延びており、隣り合う短手トラス２８の間に配置され、それら短手トラス２８に掛け渡された状態になっている。この場合、区画フレーム５３の上側横材５５は、各短手トラス２８の上弦材３１に固定されており、下側横材５６は、各長手トラス２７の下弦材３２に固定されている。また、隣り合う区画フレーム５３の間には、その区画フレーム５３が取り付けられた屋根ユニット２１の短手トラス２８が入り込んだ状態になっている。
【００６０】
区画フレーム５３は、区画面材５２の天井裏空間４４側に配置されている。つまり、区画面材５２を挟んで屋根通路５１の内部空間とは反対側に配置されている。この場合、区画フレーム５３は、屋根通路５１の内側から区画面材５２により覆い隠された状態になっており、屋内空間１５からでは天井開口部４５を通じても視認できないようになっている。
【００６１】
図４、図５の説明に戻り、天井下地４２には、区画フレーム５３に取り付けられた天井支持材６１と、屋根フレーム２２の下弦材３２に対して固定された下地フレーム６２と、その下地フレーム６２に取り付けられた野縁６３とが含まれている。下地フレーム６２は、断面コ字状の軽量溝形鋼等により形成されており、溝部を側方に向けた状態で、屋根フレーム２２の長手方向や短手方向に沿って延びている。下地フレーム６２は、屋根フレーム２２の下弦材３２から下方に延びたボルト等により吊り下げ支持されていることで、その下弦材３２から下方に離間した位置に配置されている。
【００６２】
野縁６３は、下地フレーム６２の下側に配置されており、固定金具等により下地フレーム６２に固定されている。野縁６３は、断面コ字状の軽量溝形鋼等により形成されており、溝部を上方に向けた状態で、屋根フレーム２２の長手方向や短手方向に沿って延びている。天井面材４３は、野縁６３の下面に重ねされた状態でその野縁６３に対してビス等により固定されている。
【００６３】
天井支持材６１は、断面コ字状の軽量溝形鋼により形成されており、区画フレーム５３の下側に配置され、その区画フレーム５３の幅方向に沿って延びている。天井支持材６１の長さ寸法は、区画フレーム５３の幅寸法とほぼ同じにされており、天井支持材６１は、区画フレーム５３が固定された下弦材３２の下方位置には配置されていない。天井支持材６１においては、その溝部が屋根通路５１の内部空間とは反対側に向けられており、そのウェブの外側面が、区画フレーム５３の屋根通路５１の内部空間側の側面と面一に配置されている。この場合、天井支持材６１の上面（上側のフランジの外側面）が、区画フレーム５３の下面（下側横材５６のウェブの外側面）に重ねられている。
【００６４】
区画面材５２は、区画フレーム５３と天井支持材６１との境界部を上下に跨いだ状態で、区画フレーム５３に加えて天井支持材６１にもビス等により固定されている。この場合、区画面材５２は、区画フレーム５３の下側横材５６の側面、及び天井支持材６１の側面のそれぞれに重ねられている。
【００６５】
天井支持材６１は、天井開口部４５の周縁部に沿って延びており、シェード枠４７は、天井支持材６１に固定されている。この場合、シェード枠４７は、天井開口部４５に嵌め込まれた状態になっている。シェード枠４７は、天井支持材６１に横並びに配置されており、シェード枠４７の外周面が天井支持材６１の側面に重ねられた状態になっている。シェード枠４７は、天井支持材６１と天井面材４３との境界部を上下に跨いだ状態になっている。区画面材５２は、シェード枠４７の上方に配置されており、シェード枠４７と天井支持材６１との間には入り込んでいない。
【００６６】
シェード枠４７には、そのシェード枠４７を天井支持材６１に固定するための固定部材６５が取り付けられている。固定部材６５は、ゴムや合成樹脂材料により変形可能に形成された部材である。固定部材６５は、シェード枠４７の上面に固定された固定端を有しており、自由端側が区画フレーム５３の下側横材５６に対して固定されている。その自由端側は、区画面材５２を挟んで区画フレーム５３とは反対側からその区画面材５２に重ねられており、その状態で、ビス等が固定部材６５及び区画面材５２を貫通して下側横材５６に打ち込まれることで固定されている。
【００６７】
天井支持材６１には、区画面材５２に加えて天井面材４３が固定されている。天井支持材６１は、下地フレーム６２及び野縁６３に横並びに配置されており、天井支持材６１の下面（下側のフランジの外側面）が野縁６３の下面と同じ高さ位置に配置されている。天井面材４３は、天井支持材６１と野縁６３との境界部を左右に跨いだ状態で、野縁６３に加えて天井支持材６１にもビス等により固定されている。この場合、天井面材４３は、野縁６３の下面及び天井支持材６１の下面のそれぞれに重ねられている。なお、下地フレーム６２は、その端部が天井支持材６１の溝部内に入り込んだ状態で、天井支持材６１に固定金具等を介して固定されている。
【００６８】
図６に示すように、天井支持材６１は、連結部材７１を介して区画フレーム５３に連結されている。ここで、区画フレーム５３が屋根ユニット２１（屋根フレーム２２）に固定されているため、天井支持材６１は、連結部材７１を介して屋根ユニット２１に連結されていることになる。連結部材７１は、区画フレーム５３に固定された区画固定部７２と、天井支持材６１に固定された天井固定部７３と、区画固定部７２に対して天井固定部７３を回動可能に接続している接続部７４とを有している。なお、区画固定部７２は、区画フレーム５３を介して屋根ユニット２１に固定された屋根固定部に相当する。
【００６９】
連結部材７１において、区画固定部７２は、区画フレーム５３の下側横材５６の下面（ウェブの外側面）に重ねられた状態で、その下側横材５６に固定されている。天井固定部７３は、天井支持材６１の上面（上側のフランジの外側面）に重ねられた状態で、その天井支持材６１に固定されている。この場合、区画フレーム５３の下側横材５６が、連結部材７１を介して天井支持材６１が取り付けられた被取付部材に相当する。また、連結部材７１は、区画フレーム５３の幅方向に沿って所定間隔で複数並べて配置されている。
【００７０】
図７（ａ），（ｂ）に示すように、連結部材７１において、区画固定部７２及び天井固定部７３は、いずれも金属板等により形成された板材とされており、これら板材は矩形状として互いに同じ大きさ及び形状とされている。接続部７４は、固定部７２，７３の端部同士を接続しており、接続部７４の軸線は、固定部７２，７３の各端部に沿って延びている。連結部材７１は、固定部７２，７３が互いに回動することで、これら固定部７２，７３が開くように横並びに配置された開き状態（図７（ａ）参照）と、これら固定部７２，７３が板面同士で重ねられた重ね状態（図７（ｂ）参照）とに移行可能になっている。
【００７１】
接続部７４は、回動軸部を２つ有しており、一方の回動軸部により区画固定部７２を軸支し、他方の回動軸部により天井固定部７３を軸支している。この場合、連結部材７１は、２軸式の蝶番になっている。固定部７２，７３は、連結部材７１が開き状態にある場合に、いずれも接続部７４の各回動軸部の並び方向に沿って延びており、連結部材７１が重ね状態にある場合に、いずれも接続部７４の各回動軸部の並び方向とは直交する方向に沿って延びている。
【００７２】
固定部７２，７３には、それぞれビス等の固定具を挿通可能な固定孔７５が形成されている。連結部材７１は、区画固定部７２の固定孔７５に挿通された固定具が区画フレーム５３に打ち込まれることでその区画フレーム５３に固定され、天井固定部７３の固定孔７５に挿通された固定具が天井支持材６１に打ち込まれることでその天井支持材６１に固定されている。
【００７３】
図５の説明に戻り、連結部材７１は、区画フレーム５３の下側横材５６と天井支持材６１との間に重ね状態で設けられている。この場合、連結部材７１は、下側横材５６と天井支持材６１との間に挟まった状態になっている。また、連結部材７１は、下側横材５６及び天井支持材６１から区画面材５２側に突出しない位置に配置されている。この場合、固定部７２，７３における回動軸部側の端面は、下側横材５６及び天井支持材６１における区画面材５２側の側面に面一にされており、連結部材７１が支障にならない状態で区画面材５２が下側横材５６及び天井支持材６１の各側面に重ねられている。
【００７４】
上述したように、天井支持材６１には、下地フレーム６２が固定され、区画フレーム５３にも固定された区画面材５２が固定され、さらに、野縁６３にも固定された天井面材４３が固定されている。したがって、連結部材７１は、固定部７２，７３の回動先端側同士が互いに固定されていなくても、重ね状態で保持されている。
【００７５】
連結部材７１は、屋根フレーム２２の下弦材３２の下面から下方に突出しない高さ位置に配置されている。ここで、連結部材７１が重ね状態になっているため、天井固定部７３の下面が連結部材７１の下面になっており、この下面は、下弦材３２の下面と面一になっている。この場合、天井支持材６１の上面が下弦材３２の下面と同じ高さ位置に配置されており、区画フレーム５３の下面は、下弦材３２の下面から連結部材７１の厚み寸法（固定部７２，７３の各厚み寸法の合計）の分だけ高い位置に配置されている。また、この場合、天井支持材６１の高さ寸法が、下弦材３２と天井面材４３との離間距離に同じ大きさになっている。
【００７６】
天井支持材６１は、下弦材３２に上下に重なる位置には配置されていない。このため、例えば屋根開口部２４の横長部分２４ａの下方位置において、隣り合う屋根ユニット２１のそれぞれに取り付けられた天井支持材６１の間には隙間が形成されており、この隙間に、天井面材４３や区画面材５２の取り付けが可能な隙間支持材（図示略）が設けられている。隙間支持材は、連結部材７１を介さずに下弦材３２にビス等により直接固定されている。ここで、上述したように、上下方向において下弦材３２と天井面材４３との離間距離が天井支持材６１の高さ寸法と同じになっているため、隙間支持材が天井支持材６１と同じ高さ寸法を有していれば、隙間支持材の下面と天井支持材６１の下面とが面一になる。このため、天井支持材６１と同じ軽量溝形鋼を流用して隙間支持材として利用することができる。
【００７７】
次に、建物１０の構築手順について、天井部４１の施工手順を中心に図５、図８、図９を参照しつつ説明する。図８は、天井部４１の施工手順を示す図、図９は、屋根ユニット２１がトラックＴに積載された状態を示す図である。なお、図９においては、（ａ）にトラックＴを側面から見た図を示し、（ｂ）にトラックＴを背面から見た図を示す。
【００７８】
建築現場において建物本体１２を構築し、工場にて製造した屋根ユニット２１を建物本体１２の上に設置する。工場においては、製造した屋根ユニット２１に区画フレーム５３及び天井支持材６１を取り付けておく。ここで、図８（ａ）に示すように、連結部材７１を開き状態とすることで、天井支持材６１を区画フレーム５３に横並びになる退避位置Ｍに配置し、その退避位置Ｍで天井支持材６１を区画フレーム５３や屋根フレーム２２に対して粘着テープ等の仮固定手段により仮固定しておく。なお、天井支持材６１は、退避位置Ｍにある場合に、下弦材３２の下方位置から上方に向けて退避しており、下弦材３２から下方に突出しない状態になっている。
【００７９】
また、天井支持材６１から上方に離間した領域においては、区画面材５２を区画フレーム５３に取り付けておく。
【００８０】
工場にて製造した屋根ユニット２１は、トラックＴに積載して建築現場に運搬する。トラックＴの荷台Ｔ１には、３個の屋根ユニット２１を積載することが可能になっている。トラックＴは、荷台Ｔ１を挟んで立設された支柱Ｔ２と、トラックＴの幅方向において隣り合う支柱Ｔ２に掛け渡された横架材Ｔ３とを有している。横架材Ｔ３は、上下２段に配置されており、各段においてトラックＴの長さ方向に複数並べられている。荷台Ｔ１においては、その荷台Ｔ１の積載面と１段目（下側）の横架材Ｔ３との間のスペース、１段目と２段目（上側）との間のスペース、２段目の上側のスペースが、それぞれ屋根ユニット２１が積載される積載スペースになっている。
【００８１】
屋根ユニット２１においては、水勾配を有していることに起因して、長手方向の一方の端部（高端部という）の高さ寸法が他方の端部（低端部という）の高さ寸法より大きくされており、上下に隣り合う屋根ユニット２１は、高端部と低端部とが上下に並ぶ向きで積載されている。なお、屋根ユニット２１は、屋根面材２３を上側にした向きで積載されている。
【００８２】
また、上下に隣り合う屋根ユニット２１の離間距離は、下弦材３２からの天井支持材６１の突出寸法（天井支持材６１の高さ寸法）よりも小さくなっており、連結部材７１を開き状態にしたままで屋根ユニット２１をトラックＴに積載すると、天井支持材６１が隣の屋根ユニット２１やトラックＴの積載面などに接触して、屋根ユニット２１を適正な状態で積載できないことが懸念される。これに対して、連結部材７１が重ね状態にされた場合には天井支持材６１はもちろんのこと、連結部材７１も下弦材３２から下方に突出していないため、天井支持材６１や連結部材７１が支障になって屋根ユニット２１を適正な状態で積載できないという事態を回避できる。
【００８３】
屋根ユニット２１を建築現場に運搬し、建物本体１２の上に設置した後、天井支持材６１の仮固定を解除し、図８（ｂ）に示すように、連結部材７１を重ね状態に移行させることで、天井支持材６１を区画フレーム５３から下方に突出した突出位置Ｎに移動させる。天井支持材６１は、連結部材７１の接続部７４の各回動軸部を軸として下方に向けて回動することで、突出位置Ｎに移動する。この場合、天井支持材６１は、一対のフランジのうち連結部材７１が固定された方のフランジの基端側（ウェブ側）を軸として回動することになる。
【００８４】
その後、図８（ｃ）に示すように、下地フレーム６２及び野縁６３を設置して、突出位置Ｎにある天井支持材６１に下地フレーム６２を固定する。また、区画面材５２を区画フレーム５３及び天井支持材６１にビス等により固定する。そして、図５に示すように、天井面材４３を野縁６３及び天井支持材６１に固定し、シェード枠４７を固定部材６５を介して天井下地４２に対して固定する。これらの固定作業により、天井支持材６１を突出位置Ｎにて位置保持することになる。なお、作業者は、シェード４６を開放した状態でシェード枠４７の内側から屋根通路５１内に手や工具を差し入れた状態で、シェード枠４７の固定作業を行うことになる。
【００８５】
以上詳述した本実施形態によれば、以下の優れた効果が得られる。
【００８６】
天井支持材６１を退避位置Ｍに仮固定した状態で屋根ユニット２１を運搬することが可能であるため、天井支持材６１が突出位置Ｎから移動可能になっていない構成とは異なり、天井支持材６１が屋根ユニット２１の運搬の支障になることを抑制できる。また、天井支持材６１が退避位置Ｍにある場合には、天井支持材６１がトラックＴの荷台の積載面や他の屋根ユニット２１に接触しにくくなるため、屋根ユニット２１の運搬に際して天井支持材６１が変形したり破損したりすることを抑制できる。したがって、屋根ユニット２１への天井支持材６１の取り付け作業を工場で行っておくことにより、建築現場での作業負担を低減することができ、しかも、天井支持材６１付きの屋根ユニット２１を好適に運搬することができる。
【００８７】
退避位置Ｍは区画フレーム５３の側方位置とされているため、退避位置Ｍにある天井支持材６１を屋根ユニット２１から下方に突出しない状態にすることができる。このため、天井支持材６１が屋根ユニット２１から下方に突出したままその屋根ユニット２１を運搬する場合とは異なり、トラックＴの荷台の積載面に屋根ユニット２１を載せた場合に、天井支持材６１が積載面に当たって屋根ユニット２１の積載状態が不安定になるということを回避できる。したがって、天井支持材６１付きの屋根ユニット２１を運搬する際の作業負担を、天井支持材６１が取り付けられていない屋根ユニット２１を運搬する際の作業負担と同じ程度に抑えることができる。
【００８８】
連結部材７１が天井支持材６１を回動可能に軸支しているため、天井支持材６１を回動させるという容易な作業を行うことで、その天井支持材６１を退避位置Ｍと突出位置Ｎとに移動させることができる。しかも、天井支持材６１が退避位置Ｍにて仮固定された状態では、天井支持材６１の荷重が粘着テープ等の仮固定手段だけに加えられるのではなく、連結部材７１の接続部７４（回動軸部）に加えられるため、天井支持材６１を退避位置Ｍにて位置保持しやすくなっている。したがって、天井支持材６１が退避位置Ｍから突出位置Ｎに意図せずに移動するということを抑制できる。
【００８９】
天井支持材６１が突出位置Ｎにある場合に、連結部材７１が重ね状態で天井支持材６１と区画フレーム５３との間に挟まっているため、天井支持材６１を区画フレーム５３に対して安定した姿勢で保持することができる。また、天井支持材６１が退避位置Ｍにある場合に、天井支持材６１が区画フレーム５３の側面に重ねられた状態になっているため、天井支持材６１を区画フレーム５３に対して安定した姿勢で保持することができる。
【００９０】
天井支持材６１に天井面材４３及び区画面材５２の両方が取り付けられているため、区画面材５２が取り付けられる専用部材を天井支持材６１に横並びに配置する必要がない。また、天井支持材６１が突出位置Ｎにある場合に、連結部材７１が区画面材５２側に突出していないため、天井面材４３及び区画フレーム５３に区画面材５２を取り付ける際に、連結部材７１が支障になることを回避できる。したがって、区画面材５２の取り付けに際して、連結部材７１を避けて区画面材５２を取り付けるなど作業負担が増加するということを抑制できる。
【００９１】
また、区画面材５２が天井支持材６１と区画フレーム５３とに掛け渡された状態で取り付けられているため、天井支持材６１の荷重が連結部材７１及び区画面材５２の両方に加えられることになる。この場合、連結部材７１による天井支持材６１と区画フレーム５３との連結部分を区画面材５２により補強していることになる。ここで、連結部材７１が接続部７４という回動支点だけで天井支持材６１を支持している構成では、連結部材７１による天井支持材６１の支持強度が比較的小さいと考えられるため、天井支持材６１を安定して支持する上では、区画面材５２が天井支持材６１を支持することが好ましい。
【００９２】
天井支持材６１は、退避位置Ｍにある場合に屋根ユニット２１の内周側に配置されているため、天井支持材６１が屋根ユニット２１の側方に突出した状態のまま保持されている構成に比べて、天井支持材６１が屋根ユニット２１の運搬の支障になりにくい構成を実現できる。しかも、区画フレーム５３が屋根フレーム２２の一部に含まれていないため、区画フレーム５３が屋根ユニット２１の構造体を構成する必要がない。したがって、区画フレーム５３及び天井支持材６１の設置位置に関する自由度を高めることができる。
【００９３】
屋根通路５１において区画フレーム５３や天井支持材６１が区画面材５２により覆い隠されているため、屋根開口部２４や屋根通路５１内の意匠性を高めることができる。
【００９４】
［他の実施形態］
本発明は上記実施形態の記載内容に限定されず、例えば次のように実施されてもよい。
【００９５】
（１）上記実施形態では、連結部材７１が天井支持材６１を回動可能に軸支していたが、連結部材７１は、天井支持材６１を上下方向にスライド移動可能に支持していてもよい。要は、天井支持材６１が、屋根ユニット２１から下方に突出した突出位置と、その突出位置よりも高い位置に設定された退避位置とに移動可能であればよい。例えば、連結部材７１が上下方向に延びるレール部材とされ、区画フレーム５３に固定され、天井支持材６１が連結部材７１に引っ掛かった状態でその連結部材７１に沿って上下方向に移動する構成とする。
【００９６】
この構成では、突出位置が退避位置の下方位置に設定されている。このため、突出位置の高さ位置を変更することが容易になる。例えば、建築現場において、設計段階よりも天井面材４３を高い位置に設置することになっても、連結部材７１に対する天井支持材６１の相対位置を変更するという容易な作業により、天井支持材６１及び天井面材４３の高さ位置を変更することができる。
【００９７】
また、天井支持材６１が上下にスライド移動する構成では、天井支持材６１に下地フレーム６２や野縁６３、天井面材４３を取り付け、それら下地フレーム６２、野縁６３、天井面材４３ごと天井支持材６１を退避位置と突出位置とに移動させることが可能となる。このため、屋根ユニット２１を製造する工場において、天井支持材６１に下地フレーム６２や野縁６３、天井面材４３を取り付けておき、その状態で屋根ユニット２１を建築現場に運搬する場合に、天井支持材６１を退避位置にて仮固定しておくことで、下地フレーム６２や野縁６３、天井面材４３が屋根ユニット２１の運搬の支障になることや変形したり破損したりすることを抑制できる。
【００９８】
（２）上記実施形態では、天井支持材６１が、退避位置Ｍにある場合に屋根フレーム２２から下方に突出しない位置に配置されていたが、天井支持材６１は、退避位置Ｍにある場合に、突出位置Ｎよりも高い位置に移動していれば、屋根フレーム２２から下方に突出した位置に配置されていてもよい。
【００９９】
また、上記実施形態では、天井支持材６１が、突出位置Ｎにある場合に区画フレーム５３の下方に配置されていたが、天井支持材６１は、突出位置Ｎにある場合に、退避位置Ｍよりも低い位置であり且つ屋根ユニット２１から下方に突出した位置に移動していれば、区画フレーム５３の側方位置に配置されていてもよい。
【０１００】
（３）上記実施形態では、連結部材７１が重ね状態及び開き状態のいずれの場合でも屋根ユニット２１より下方に突出しない構成としたが、連結部材７１は、少なくとも重ね状態にある場合に屋根ユニット２１より下方に突出していてもよい。例えば、区画フレーム５３の下面が下弦材３２の下面と同じ高さ位置に配置された構成とする。この構成において、区画フレーム５３の下面に固定された連結部材７１は、重ね状態及び開き状態のいずれにある場合でも下弦材３２よりも下方に突出した位置に配置されている。ここで、連結部材７１の固定部７２，７３はいずれも板材により形成されているため、天井支持材６１が退避位置Ｍにある場合に、連結部材７１における下弦材３２の下方への突出寸法を、固定部７２，７３の厚み寸法だけに抑えることができる。したがって、区画フレーム５３の下面と下弦材３２の下面とが面一になっていても、屋根ユニット２１の運搬に際して連結部材７１が支障になるという事態が生じにくくなっている。
【０１０１】
（４）上記実施形態では、天井支持材６１は、突出位置Ｎにある場合にその天井支持材６１に下地フレーム６２等が固定されることで位置保持されていたが、連結部材７１において区画固定部７２と天井固定部７３とが互いに回動しないように固定されることで天井支持材６１が位置保持されてもよい。例えば、固定部７２，７３のうち一方に引っ掛け部が設けられており、天井支持材６１が突出位置Ｎにある場合に、その引っ掛け部が他方に引っ掛かることで固定部７２，７３の回動が規制される構成とする。
【０１０２】
また、天井支持材６１が、突出位置Ｎにある場合に区画フレーム５３や下弦材３２などにビス等により固定されていてもよい。
【０１０３】
（５）上記実施形態では、天井支持材６１が突出位置Ｎにある場合に、その天井支持材６１と区画フレーム５３との間に連結部材７１が重ね状態で挟まっていたが、連結部材７１は、天井支持材６１が退避位置Ｍにある場合に、その天井支持材６１と区画フレーム５３との間に重ね状態で挟まっていてもよい。例えば、連結部材７１において、区画固定部７２が区画フレーム５３の側面に固定され、天井固定部７３が天井支持材６１の側面に固定された構成とする。
【０１０４】
（６）上記実施形態では、区画フレーム５３の下側横材５６が、天井支持材６１が取り付けられた被取付対象とされていたが、区画フレーム５３の縦材５７や上側横材５５に天井支持材６１が取り付けられた被取付対象とされていてもよい。被取付対象は、区画フレーム５３が有していなくてもよく、単に屋根ユニット２１に取り付けられた部材が被取付対象とされていてもよい。
【０１０５】
また、上記実施形態では、屋根ユニット２１に被取付対象が付加された（取り付けられた）構成としたが、屋根ユニット２１の一部が被取付対象とされていてもよい。例えば、下弦材３２が被取付対象とされ、その下弦材３２に連結部材７１を介して天井支持材６１が取り付けられた構成とする。この構成において、天井支持材６１は、退避位置Ｍにある場合に、下弦材３２の側方位置に配置されている。退避位置Ｍは、屋根ユニット２１の内側（平行に延びる下弦材３２の間の位置）に設定されていることが好ましい。この場合、退避位置Ｍにある天井支持材６１が屋根ユニット２１から側方に突出した状態にならないため、屋根ユニット２１の運搬を好適に行うことができる。
【０１０６】
（７）上記実施形態では、天井支持材６１に天井面材４３及び区画面材５２の両方が固定されていたが、天井支持材６１には天井面材４３さえ固定されていればよい。例えば、天井支持材６１が天井開口部４５から側方に離間した位置に配置された構成とする。
【符号の説明】
【０１０７】
１０…建物、１２…建物本体、１３…屋根、１５…屋内空間、２１…屋根ユニット、２２…屋根フレーム、２３…屋根面材、２４…屋根開口部、４１…天井部、４２…天井下地、４３…天井面材、４５…天井開口部、５１…延出空間を有する屋根通路、５２…区画面材、５３…被取付部材を有する区画フレーム、５６…被取付部材としての下側横材、６１…天井支持材、６３…野縁、７１…連結部材、７２…区画固定部、７３…天井固定部、７４…接続部、Ｍ…退避位置、Ｎ…突出位置。
【図１】
2015124508.tif 000003
【図２】
2015124508.tif 000004
【図３】
2015124508.tif 000005
【図４】
2015124508.tif 000006
【図５】
2015124508.tif 000007
【図６】
2015124508.tif 000008
【図７】
2015124508.tif 000009
【図８】
2015124508.tif 000010
【図９】
2015124508.tif 000011